(57)【特許請求の範囲】
【請求項１】
矩形の平面形状を有し、ピアノの左右の側部間に水平に設けられる棚板本体と、
表面を塗装され、前記棚板本体の前面にその全体を覆うように取り付けられた補強用の金属板と、
を備えていることを特徴とするピアノの棚板。
【請求項２】
前記金属板が、表面を塗装され、前記棚板本体の前面および左右の側面にそれらの全体を覆うように取り付けられた、平面コ字形の一体の金属板で構成されていることを特徴とする、請求項１に記載のピアノの棚板。
【請求項３】
前記金属板が鉄板で構成されていることを特徴とする、請求項１または２に記載のピアノの棚板。
【発明の詳細な説明】
【０００１】
【発明の属する技術分野】
本発明は、ピアノの左右の側部間に水平に設けられ、載置した鍵盤やアクションなどを支持するピアノの棚板に関し、特にその補強構造に関する。
【０００２】
【従来の技術】
図４は、従来の黒塗りグランドピアノの棚板の一般的な構成を示している。この棚板５１は、図５および図６に示すように、前面が開放する側板３の左右の前部下面の間に水平に設けられ、鍵盤やアクション（図示せず）などを載置し、支持するものである。棚板５１は、合板やパーティクルボードなどで構成され、下面を黒塗り塗装した矩形の棚板本体５２と、棚板本体５２の木口である、前面、左右の側面および背面にそれぞれ接着された棚板前面棒５３、棚板妻面棒５４、５４および化粧単板５５を備えている。
【０００３】
棚板前面棒５３および棚板妻面棒５４は、厚さ３ｍｍ程度の黒色のアクリル化粧板で構成されており、棚板本体５２の前面および側面をそれぞれ覆い隠すとともに、アクリルが本来的にもつ良好な光沢性によって、これらを装飾する。また、化粧単板５５は、カバなどで構成され、表面がポリウレタンなどで黒塗り塗装されていて、他の木口と比べてあまり目立たない棚板本体５２の背面を簡易に装飾する。
【０００４】
図４（ｂ）などに示すように、棚板５１はさらに、棚板本体５２の下面に取り付けられた棚板補強５６を備えている。この棚板補強５６は、鍵盤およびアクションの重さや温度および湿度の変化などによって、棚板５１に、図５に示すような反りや垂れが発生し、それに起因して鍵盤やアクションの動作に悪影響が及ぶのを防止するためのものである。棚板補強５６は、厚さ３ｍｍ程度の鉄板を折曲げ加工することにより、上方が開放した断面Ｕ字形に形成され、左右方向に延びていて、そのサイズは、長さ（間口）が１ｍ、奥行が１１０ｍｍ、高さが３０ｍｍ程度である。また、棚板補強５６は、図６（ｂ）に示すように棚板本体５２の前端に設けた場合には、演奏者の脚が当たってしまうとともに、演奏者側からはっきりと見えてしまい、外観も損なうため、これらの不具合を避けるべく、同図（ａ）に示すように、棚板本体５２の前端から所定距離、奥側に寄せて配置されている。
【０００５】
【発明が解決しようとする課題】
しかし、上述した従来の棚板５１は、補強専用の棚板補強５６を設けなければならず、その分、部品点数および組立工数が増え、製造コストを押し上げるという欠点がある。また、この棚板５１は、以下に述べる理由により、棚板補強５６による補強効果を有効に発揮できないため、反りや垂れを十分に抑制できないという欠点がある。すなわち、グランドピアノの場合には、側板３の左右の側部が前方に延び、前面が開放されているため、これに固定された棚板５１は、前側になるほど、剛性が不足がちになり、反りや垂れが生じやすいという特性がある。これに対して、棚板補強５６は、前述した理由から、棚板本体５２の前端から奥側に寄せて配置せざるを得ず、反りや垂れが最も生じやすい棚板本体５２の前端に配置できないため、反りや垂れを十分に抑制できず、その結果、鍵盤やアクションの動作に悪影響を及ぼすおそれがある。さらに、棚板補強５６は、棚板本体５２から下方に突出して設けられるので、棚板本体５２の前端から奥側に寄せて配置されたとしても、ピアノを見る角度によっては外部から見えてしまい、外観上の問題が依然として残る。
【０００６】
本発明は、このような課題を解決するためになされたものであり、反りや垂れを十分に抑制でき、良好なピアノの外観が得られるとともに、部品点数および組立工数の低減により製造コストを削減することができるピアノの棚板を提供することを目的とする。
【０００７】
【課題を解決するための手段】
この目的を達成するため、本発明のピアノの棚板は、矩形の平面形状を有し、ピアノの左右の側部間に水平に設けられる棚板本体と、表面を塗装され、棚板本体の前面にその全体を覆うように取り付けられた補強用の金属板と、を備えていることを特徴としている。
【０００８】
前述したように、グランドピアノの場合には、棚板の反りや垂れがその前端で最も生じやすい。したがって、本発明のように、棚板本体の前面に補強用の金属板が取り付けられていることによって、棚板の補強を効果的に行うことができ、それにより、棚板の反りや垂れを十分に抑制することができる。また、この金属板は、表面が塗装され、棚板本体の前面の全体を覆っていることで、これを装飾する役割をも果たす。このように、金属板は、棚板本体の前面を装飾する機能と、棚板を補強する機能を兼ね備える。したがって、後者のために従来、設けられていた棚板補強を省略でき、その分の部品点数および組立工数の低減によって、製造コストを削減することができる。さらに、棚板補強の省略によって、棚板本体の下面に突出物が存在しなくなることで、ピアノを見る角度にかかわらず、すっきりした良好な外観を得ることができる。
【０００９】
この場合、金属板が、表面を塗装され、棚板本体の前面および左右の側面にそれらの全体を覆うように取り付けられた、平面コ字形の一体の金属板で構成されていることが好ましい。
【００１０】
この構成では、表面を塗装されたコ字形の１枚の金属板が、棚板本体の前面および左右の側面にそれらの全体を覆うように取り付けられ、これらを装飾するとともに、棚板を効果的に補強する。このように、この金属板は、請求項１の金属板による上述した機能に加えて、棚板本体の左右の側面を装飾する機能を兼ね備える。したがって、後者のために従来、設けられていた棚板妻面棒を省略でき、それによる部品点数および組立工数のさらなる低減によって、製造コストをより一層、削減することができる。
【００１１】
これらの場合、金属板が鉄板で構成されていることが好ましい。
【００１２】
鉄板は、剛性が高いとともに、同様の他の金属板、例えばアルミニウム板やステンレスなどと比較して、塗装の容易性に優れ、材料コストも安価である。したがって、金属板として鉄板を採用することによって、製造コストをさらに削減することができる。
【００１３】
【発明の実施の形態】
以下、図面を参照しながら、本発明の好ましい実施形態を、詳細に説明する。図２は、本発明の第１実施形態による棚板を備えた黒塗りグランドピアノを示している。このグランドピアノ１のピアノ本体２は、側板３、棚板４や大屋根前後５、６などから成るケース７内に、支柱（図示せず）、フレーム８、響板９や弦（図示せず）などから成るバック機構や、鍵盤１０やアクション（図示せず）などから成る打弦機構などを収容したものである。側板３は、グランドピアノ１の平面的な外形を画するように延び、前面が開放されていて、棚板４は、側板３の左右の前部下面の間に、棚板付物１１を介して取り付けられ、水平に支持されている。また、鍵盤１０およびアクションは、棚板４上に、筬（図示せず）を介して載置され、支持されている。
【００１４】
図１に示すように、棚板４は、横長矩形の棚板本体１２と、棚板本体１２の木口である、前面、左右の側面および背面にそれぞれ接着された金属板１３、棚板妻面棒１４、１４および化粧単板１５と、を備えている。
【００１５】
棚板本体１２は、従来と同様、厚さ４５ｍｍ程度の合板やパーティクルボードなどで構成され、下面には他のケース部品と同様の黒塗り塗装が施されていて、側板３に固定されている。
【００１６】
金属板１３は、棚板本体１２の前面を装飾するとともに、棚板４を補強するためのものであり、本実施形態では、鉄板（鋼板）で構成されている。金属板１３は、細長い帯状のものであり、棚板本体１２の厚さとほぼ等しい高さＨ（約４５ｍｍ）を有するとともに、前述した従来の棚板前面棒５３と同程度の厚さＴ（約３ｍｍ）を有していて、棚板本体１２の前面にその全体を覆うように取り付けられている。また、金属板１３には、ポリウレタンなどによる黒塗り塗装があらかじめ施されている。
【００１７】
棚板妻面棒１４および化粧単板１５は、前述した従来の棚板妻面棒５４および化粧単板５５とそれぞれ同じ構成のものである。すなわち、棚板妻面棒１４は、厚さ３ｍｍ程度の黒色のアクリル化粧板で構成され、化粧単板１５は、表面が黒塗り塗装されたカバなどで構成されていて、棚板本体１２の側面および背面をそれぞれ覆い、これらを装飾する。
【００１８】
以上の構成の棚板４によれば、黒塗り塗装された金属板１３が、棚板本体１２の前面の全体を覆い、これを装飾する。また、金属板１３は、鉄板で構成され、剛性が高いとともに、反りや垂れが最も生じやすい棚板本体１２の前面に取り付けられているので、棚板４の補強を効果的に行うことができ、したがって、棚板４の反りや垂れを十分に抑制することができる。このように、金属板１３は、棚板本体１２の前面を装飾する機能と、棚板４を補強する機能を兼ね備えるので、前述した従来の棚板補強５６はまったく不要になり、その分の部品点数および組立工数の低減によって、製造コストを削減することができる。
【００１９】
また、棚板補強５６の省略によって、棚板本体１２の下面に突出物が存在しなくなることで、ピアノを見る角度にかかわらず、すっきりした良好な外観を得ることができる。さらに、金属板１３として、塗装の容易性に優れ、材料コストも安価な鉄板を採用しているので、製造コストをさらに削減することができる。
【００２０】
図３は、本発明の第２実施形態による棚板を示している。同図に示すように、この棚板２１は、平面コ字形の金属板２２を棚板本体１２の前面および左右の側面に接着するとともに、棚板妻面棒１４を廃止した点が、上述した第１実施形態の棚板４と異なっている。具体的には、この金属板２２は、第１実施形態の金属板１３と同様の高さ（約４５ｍｍ）および厚さ（約３ｍｍ）と、金属板１３よりも長い所定の長さを有する鉄板を、折曲げ加工することにより形成したものであり、左右方向に延びる前部２２ａと、その両端から後方に延びる左右の側部２２ｂ、２２ｂとから、平面コ字形に形成されている。また、金属板２２には、金属板１３と同様、ポリウレタンなどによる黒塗り塗装が施されている。そして、金属板２２は、その前部２２ａが棚板本体１２の前面全体を覆うとともに、側部２２ｂ、２２ｂが棚板本体１２の左右の側面全体を覆うようにして、棚板本体１２に接着されている。他の構成は、第１実施形態と同様である。
【００２１】
以上の構成の棚板２１によれば、金属板２２の前部２２ａが棚板本体１２の前面に取り付けられることにより、第１実施形態と同様の効果を得ることができる。これに加えて、金属板２２の側部２２ｂ、２２ｂが棚板本体１２の側面全体を覆い、これを装飾するので、そのために設けられていた従来の左右の棚板妻面棒５４、５４も不要になる。その結果、部品点数および組立工数のさらなる低減によって、製造コストをより一層、削減することができる。
【００２２】
なお、本発明は、説明した実施形態に限定されることなく、種々の態様で実施することができる。例えば、説明した実施形態では、金属板１３や金属板２２として、鉄板（鋼板）を用いているが、剛性の高い他の金属、例えばアルミニウムやステンレスなどを採用することも可能である。前述したように、塗装の容易性や材料コストの観点からは、鉄板が特に好ましい。また、実施形態は、グランドピアノの棚板の例であるが、本発明は、他の適当な鍵盤楽器の棚板に適用してもよいことはもちろんである。その他、本発明の趣旨の範囲内で、細部の構成を適宜、変更することが可能である。
【００２３】
【発明の効果】
以上詳述したように、本発明のピアノの棚板は、反りや垂れを十分に抑制でき、良好なピアノの外観が得られるとともに、部品点数および組立工数の低減により製造コストを削減することができるなどの効果を有する。
【図面の簡単な説明】
【図１】本発明の第１実施形態によるグランドピアノの棚板の（ａ）分解平面図、（ｂ）金属板の正面図、および（ｃ）組立後の平面図である。
【図２】図１の棚板を備えたグランドピアノの外観を示す斜視図である。
【図３】第２実施形態によるグランドピアノの棚板の（ａ）分解平面図、および（ｂ）組立後の平面図である。
【図４】従来のグランドピアノの棚板の（ａ）分解平面図、および（ｂ）組立後の平面図である。
【図５】棚板の反りや垂れの発生状況を模式的に示す正面図である。
【図６】従来の棚板補強の（ａ）実際の取付状況、および（ｂ）棚板本体の前端に取り付けたと仮定したときの取付状況を、模式的に示す側面図である。
【符号の説明】
１  グランドピアノ
３  側板
４  棚板
１２  棚板本体
１３  金属板
２１  棚板
２２  金属板
【図１】
0004429425.tif 000002
【図２】
0004429425.tif 000003
【図３】
0004429425.tif 000004
【図４】
0004429425.tif 000005
【図５】
0004429425.tif 000006
【図６】
0004429425.tif 000007